(57)【特許請求の範囲】
【請求項１】
長方形状に形成された台紙の上面側に錠剤を封入した複数の突出部が長手方向に沿って所定の間隔で列状に配置されるとともに短手方向で隣り合うように二列に配置されたＰＴＰシートを収容するＰＴＰシート用収容体であって、
前記台紙の下面に対向する下面板と、前記下面板の前記長手方向に沿う一方の側縁部に折り返し線を介して連接されかつ前記折り返し線で折り返されることによって前記台紙の上面側において一方の長辺寄り領域に対向するとともに１列目の各突出部の外側が当接される第１上面板と、前記下面板の前記長手方向に沿う他方の側縁部に折り返し線を介して連接されかつ前記折り返し線で折り返されることによって前記台紙の上面側において他方の長辺寄り領域に対向するとともに２列目の各突出部の外側が当接される第２上面板とを備え、
前記下面板は、前記突出部個々に対向する所定の位置に前記錠剤の取り出しを可能とする大きさの取り出し穴が設けられ、
前記下面板と前記第１及び第２上面板とはそれぞれ前記折り返し線の部分で接着固定され、
前記第１上面板において前記第２上面板に対向するとともに前記１列目の突出部それぞれの外側が当接される側縁部と、前記第２上面板において前記第１上面板に対向するとともに前記２列目の突出部それぞれの外側が当接される側縁部とが、凹凸部が連続する波形形状に形成されており、
前記ＰＴＰシートは、前記下面板と前記第１、第２上面板との対向間に前記側縁部に沿ってスライド移動自在となるように収容され、かつ、前記二列の突出部個々が前記両側縁部の所定の凹部それぞれの対向間に位置するようにスライド移動されたときに前記各突出部が前記各取り出し穴に対向して当該各突出部内の錠剤が前記各取り出し穴から外側へ取り出し可能な状態になる一方、前記所定の凹部それぞれの対向間に位置している突出部個々が前記所定の凹部とそれに列方向で隣り合う凹部との対向間に位置するようにスライド移動されたときに前記突出部個々が前記各取り出し穴の列方向での中間に対向して前記各突出部内の錠剤が前記各取り出し穴から外側へ取り出せない状態になることを特徴とするＰＴＰシート用収容体。
【請求項２】
請求項１に記載のＰＴＰシート収容体であって、
前記取り出し穴には、切除可能な切除線を介して封止片が設けられていることを特徴とするＰＴＰシート用収容体。
【発明の詳細な説明】
【技術分野】
【０００１】
本発明は、薬剤等の内容物を封入したＰＴＰシートを収容するＰＴＰシート用収容体に関する。
【背景技術】
【０００２】
従来から、ＰＴＰシートを厚紙やプラスチックケース等の包装体に収容することにより、薬剤の種類や服用上の注意等を表記できるようにしたＰＴＰシートの包装体が種々提案されている（例えば、特許文献１〜３等参照）。
【０００３】
特許文献１には、薬剤等の内容物が収容されたＰＴＰシートが、服用上の留意事項を記載したカード型包装材によって封止されてなり、当該カード型包装材は一対の厚紙によって構成され、この一対の厚紙の間に、前記ＰＴＰシートを封止してなるカード型包装体が開示されている。
【０００４】
また、特許文献２には、薬剤等の内容物を封入した突出部を有するＰＴＰシートの該突出部を嵌入させる孔部を備えた台紙と、前記孔部に対応する位置に前記突出部から薬剤等を脱離せしめるための開口部を設けた粘着性シートとからなり、前記台紙の裏側より前記孔部にＰＴＰシートの突出部を嵌入し、該ＰＴＰシートの裏側より粘着性シートを、その開口部を前記孔部の位置に合わせて貼付することにより該ＰＴＰシートを封止するとともに、前記台紙及び／または前記粘着性シートには内容物に関する情報が記載された構成のＰＴＰシート用包装体が開示されている。
【０００５】
また、特許文献３には、ベースシートと第１の折り曲げ部を介して連結する中シートとを備え、中シートがベースシートに折り重ねられてなる間隙内にＰＴＰシートを挟持して収容可能であるＰＴＰシート用包装体であって、ベースシートには、当該ベースシート及び中シート間に収容したＰＴＰシートに封入される薬剤を取り出すための窓孔が形成され、中シートの端部には、ベースシートに嵌合してＰＴＰシートを挟持する嵌合部と、ベースシートの窓孔に対向し第１の折り曲げ部とは反対側に開放部を有して切り欠かれたスリットとが形成され、中シートが開いた状態またはベースシートに折り重ねた状態でも、ブリスター部をスリット内に入り込ませながらＰＴＰシートを容易に挿入し及び取り出すことができるＰＴＰシート用包装体が開示されている。
【０００６】
しかし、特許文献１に記載のカード型包装体の目的は、ＰＴＰシートに情報を直接印刷するのではなく、ＰＴＰシートを情報が記載されたカード型包装材にてパッキングして、多種多様な使用上の注意、服薬履歴、症状のメモ等の各種情報を確実に患者、医師、薬剤師、その他消費者等に伝達すること、及び、このカード型包装体から、ＰＴＰシートに収容された個々の薬剤等の収容物を、容易かつ確実に取り出すことであり、特許文献２に記載のＰＴＰシート包装体の目的は、薬剤の情報や使用上の注意、服薬履歴、症状のメモ等の各種情報を患者、医師、薬剤師、その他消費者等に正確かつ確実に伝達することであり、特許文献３に記載のＰＴＰシート用包装体の目的は、ＰＴＰシートの取り出し及び挿入が容易であり、また薬剤を服用する時期や量などを効率的に管理できることであり、何れも薬剤の管理が目的であって、例えばその薬剤を幼児等が誤飲することを防止するチャイルドレジスタンス機能については何ら対策されていない。
【０００７】
一方、特許文献４には、プラスチック成形体に破断可能な封止シートが取り付けられて開口部が閉鎖されたＰＴＰシートに取り付けられ、一枚のブランクシートから一体的に打ち抜かれた包装体形成片から成り、ＰＴＰシートを挟んで接着する一対の保持部材と、ＰＴＰシートから収容物を取り出す操作を防ぐ遮蔽板とを備え、包装体形成片の所定の折罫線の折れ角度を変更すると遮蔽板が移動し、ＰＴＰシートから収容物の取り出しを阻止する遮蔽状態と、取り出しが可能な開放状態とが切り替わる構成のＰＴＰシート包装体が開示されている。
【０００８】
すなわち、特許文献４に記載のＰＴＰシート包装体は、展開状態の第１覆い部材、第２覆い部材、第１保持部材、第２保持部材、遮蔽板、折曲部材等の各部材を順次折り重ねて包装体を構成し、遮蔽板については、この遮蔽板に連接されている折曲部材の折罫線の折れ角度を変更することで、ＰＴＰシートの全体を遮蔽する遮蔽状態と、ＰＴＰシートから内包物を取り出し可能なＰＴＰシート全体を露出する開放状態との間を移動する構成となっている。また、特許文献４に記載のＰＴＰシート包装体によれば、遮蔽板を意図的に移動させない限り、収容物が取り出せないようになっている。
【先行技術文献】
【特許文献】
【０００９】
【特許文献１】特許第３１７２６７９号
【特許文献２】特開２００７−３３０４０１号公報
【特許文献３】特許２０１５−７０９３８号公報
【特許文献４】特許２０１５−９８９７号公報
【発明の概要】
【発明が解決しようとする課題】
【００１０】
しかし、特許文献４に記載のＰＴＰシート包装体は、上記したように多くの部材を順次折り重ねて包装体を作製するため、構造が複雑であり、作製に手間がかかり、製造コストも上昇するといった問題があった。また、特許文献４に記載のＰＴＰシート包装体は、折曲部材の折罫線の折れ角度を変更することで、遮蔽板全体を移動させる構成であるため、遮蔽板を何度も移動させていると、折曲部材の折罫線の部分が破断してしまう可能性があるといった問題があった。
【００１１】
本発明はかかる問題点を解決すべく創案されたもので、その目的は、極めて簡単な構造で、チャイルドレジスタンス機能を実現するとともに、耐久性にも優れたＰＴＰシート用収容体を提供することにある。
【課題を解決するための手段】
【００１２】
上記課題を解決するため、本発明のＰＴＰシート用収容体は、長方形状に形成された台紙の上面側に錠剤を封入した複数の突出部が長手方向に沿って所定の間隔で列状に配置されるとともに短手方向で隣り合うように二列に配置されたＰＴＰシートを収容するＰＴＰシート用収容体であって、前記台紙の下面に対向する下面板と、前記下面板の前記長手方向に沿う一方の側縁部に折り返し線を介して連接されかつ前記折り返し線で折り返されることによって前記台紙の上面側において一方の長辺寄り領域に対向するとともに１列目の各突出部の外側が当接される第１上面板と、前記下面板の前記長手方向に沿う他方の側縁部に折り返し線を介して連接されかつ前記折り返し線で折り返されることによって前記台紙の上面側において他方の長辺寄り領域に対向するとともに２列目の各突出部の外側が当接される第２上面板とを備え、前記下面板は、前記突出部個々に対向する所定の位置に前記錠剤の取り出しを可能とする大きさの取り出し穴が設けられ、前記下面板と前記第１及び第２上面板とはそれぞれ前記折り返し線の部分で接着固定され、前記第１上面板において前記第２上面板に対向するとともに前記１列目の突出部それぞれの外側が当接される側縁部と、前記第２上面板において前記第１上面板に対向するとともに前記２列目の突出部それぞれの外側が当接される側縁部とが、凹凸部が連続する波形形状に形成されており、前記ＰＴＰシートは、前記下面板と前記第１、第２上面板との対向間に前記側縁部に沿ってスライド移動自在となるように収容され、かつ、前記二列の突出部個々が前記両側縁部の所定の凹部それぞれの対向間に位置するようにスライド移動されたときに前記各突出部が前記各取り出し穴に対向して当該各突出部内の錠剤が前記各取り出し穴から外側へ取り出し可能な状態になる一方、前記所定の凹部それぞれの対向間に位置している突出部個々が前記所定の凹部とそれに列方向で隣り合う凹部との対向間に位置するようにスライド移動されたときに前記突出部個々が前記各取り出し穴の列方向での中間に対向して前記各突出部内の錠剤が前記各取り出し穴から外側へ取り出せない状態になることを特徴としている。
【００１３】
この構成によれば、ＰＴＰシート自体を僅かに（具体的には突出部の半ピッチ分）スライド移動させるだけで、ＰＴＰシートを、内容物の取り出し位置（所定の位置）と、取り出しを規制する規制位置（隣接する取り出し穴間の位置）との間で移動させることができる。
【００１５】
この構成によれば、突出部と凹部との簡単な係合構造によって、ＰＴＰシートを錠剤の取り出し可能な位置（所定の位置）と錠剤を取り出せない規制位置（隣接する取り出し穴間の位置）とにおいて位置固定することができる。また、上記構成によれば、前記下面板と前記第１、第２上面板との対向間から前記ＰＴＰシートが挿脱自在になるから、前記ＰＴＰシート用収容体を何度でも使用することができる。
【００１７】
さらに、上記構成によれば、下面板上に第１上面板と第２上面板とを折り重ねて接着するだけで、ＰＴＰシート用収容体を容易に作製することができる。
【００２６】
また、本発明のＰＴＰシート用収容体によれば、前記取り出し穴には、切除可能な切除線を介して封止片が設けられた構成としてもよい。
【００２７】
この構成によれば、ＰＴＰシートが内容物の取り出し可能な所定の位置に移動していたとしても、封止片があることで、内容物の取り出しを阻止することができる。すなわち、チャイルドレジスタンス機能をより高めることが可能である。
【発明の効果】
【００２８】
本発明によれば、ＰＴＰシート用収容体に対して、収容されているＰＴＰシートを僅かに（具体的には突出部の半ピッチ分）スライド移動させるだけで、ＰＴＰシートを、内容物の取り出し位置と、取り出しを規制する規制位置との間で確実に移動させることができる。これにより、内容物の薬剤等を幼児が誤飲することを防止するチャイルドレジスタンス機能を、極めて簡単な構造で実現することができる。
【図面の簡単な説明】
【００２９】
【図１】本発明の実施形態１に係るＰＴＰシート用収容体にＰＴＰシートを収容した状態を斜め上方からの視点で示す斜視図である。
【図２】図１に示すＰＴＰシート用収容体を展開した状態（展開シートの状態）を示す平面図（上面図）である。
【図３】図１の矢符Ｅで示す部分を拡大して示す上面図である。
【図４Ａ】ＰＴＰシート用収容体の収納部にＰＴＰシートを収納して保持した状態を示す上面図である。
【図４Ｂ】ＰＴＰシート用収容体の収納部にＰＴＰシートを収納して保持した状態を示す下面図である。
【図５Ａ】ＰＴＰシート用収容体の収納部にＰＴＰシートを収納して保持した状態を示す上面図である。
【図５Ｂ】ＰＴＰシート用収容体の収納部にＰＴＰシートを収納して保持した状態を示す下面図である。
【図６】本発明の実施形態２に係るＰＴＰシート用収容体にＰＴＰシートを収容した状態を斜め上方からの視点で示す斜視図である。
【図７】図６に示すＰＴＰシート用収容体を展開した状態（展開シートの状態）を示す平面図（上面図）である。
【図８】本発明の実施形態３に係るＰＴＰシート用収容体を展開した状態（展開シートの状態）を示す平面図（上面図）である。
【図９】本発明の実施形態４に係るＰＴＰシート用収容体を展開した展開シートの状態を示す平面図（上面図）である。
【図１０】本発明のＰＴＰシート用収容体に収容されるＰＴＰシートを斜め上方からの視点で示す斜視図である。
【発明を実施するための形態】
【００３０】
以下、本発明の実施の形態について、図面を参照して説明する。
【００３１】
本発明のＰＴＰシート用収容体は、長方形状に形成されたＰＴＰ台紙の上面側に薬剤等の内容物を封入した突出部が長手方向に沿って所定の間隔で列状に配置されたＰＴＰシートを収容するＰＴＰシート用収容体であり、ＰＴＰ台紙の下面側を保持する下面板と、ＰＴＰ台紙の上面側を保持する上面板とを備えている。下面板は、突出部に対向する所定の位置に取り出し穴が設けられ、上面板は、列状に配置された突出部に沿って長手方向の両側を保持する開口溝部が設けられている。また、開口溝部の長手方向に沿う縁部は、突出部の外形に沿って連続する凹凸状に形成され、ＰＴＰシートは、開口溝部の凹凸状の縁部に沿って、所定の位置と取り出し穴間の位置とをスライド移動自在に設けられた構成となっている。
【００３２】
この構成によれば、ＰＴＰシート自体を僅かに（具体的には突出部の半ピッチ分）スライド移動させるだけで、ＰＴＰシートを、内容物の取り出し位置（所定の位置）と、取り出しを規制する規制位置（隣接する取り出し穴間の位置）との間で移動させることができる。
【００３３】
以下、このような構成のＰＴＰシート用収容体の実施形態について説明する。
【００３４】
＜実施形態１＞
図１は、実施形態１に係るＰＴＰシート用収容体１ＡにＰＴＰシートを収容した状態を斜め上方からの視点で示す斜視図、図２は、図１に示すＰＴＰシート用収容体１Ａを展開した状態（展開シートの状態）を示す平面図（上面図）、図３は、図１の矢符Ｅで示す部分を拡大して示す上面図である。また、図１０は、ＰＴＰシート用収容体１Ａに収容されるＰＴＰシート８０を斜め上方からの視点で示す斜視図である。
【００３５】
まず、ＰＴＰシート用収容体１Ａに収容されるＰＴＰシート８０について、図１０を参照して説明する。
【００３６】
医薬品等の錠剤を個別に包装するＰＴＰ（Press Through Package）シート８０は、ポリ塩化ビニルやポリプロピレン等のプラスチックシートからなる収容シート８１と、容易に破断することができる金属箔、例えばアルミ箔からなる被覆シート８２と、医薬品等の錠剤８３とから構成され、ヒートシールされた収容シート８１及び被覆シート８２によって略長方形状のＰＴＰ台紙８４が形成されている。そして、収容シート８１に熱成形によって所定深さの複数個の突出部８１ａが長手方向Ｘに沿って所定の間隔で列状に配置されており、それぞれの突出部８１ａに錠剤８３が収容された構成となっている。実施形態１では、突出部８１ａは、長手方向に沿って２列に配列されており、各列には、所定の間隔を存して５個の突出部８１ａが形成されている。突出部８１ａは、平面視で円形状に形成されている。ここで、突出部８１ａの直径をＰ１、隣接する突出部８１ａ，８１ａの長手方向Ｘの間隔をＰ２とすると、所定の間隔（すなわち、連接する突出部８１ａのピッチ）Ｐ１０はＰ１０＝Ｐ１＋Ｐ２となる。
【００３７】
次に、上記構成のＰＴＰシート用収容体８０を収容する実施形態１に係るＰＴＰシート用収容体１Ａについて、図１及び図２を参照して説明する。
【００３８】
実施形態１に係るＰＴＰシート用収容体１Ａは、ＰＴＰ台紙８４の下面側である被覆シート８２を保持する下面板１１と、ＰＴＰ台紙８４の上面側である収容シート８１において、突出部８１ａの周囲を囲むフランジ部（特に、長手方向Ｘに沿う両側のフランジ部）８１ｂ，８１ｂ（図１０参照）を保持する上面板１２とを備えている。下面板１１は、突出部８１ａに対向する所定の位置に取り出し穴１１ａが設けられており、上面板１２は、列状に配置された突出部８１ａに沿ってＰＴＰシート８０の長手方向の両側を保持する開口溝部１５が設けられた構成となっている。
【００３９】
より具体的に説明すると、実施形態１では、上面板１２は、図２に示すように、下面板１１の長手方向Ｘに沿う一方の側縁部に折り返し線２を介して連接された第１上面板１２ａと、下面板１１の長手方向Ｘに沿う他方の側縁部に折り返し線３を介して連接された第２上面板１２ｂとで構成されている。
【００４０】
下面板１１及び第１，第２上面板１２ａ，１２ｂには、各折り返し線２，３から長手方向Ｘに直交する幅方向に所定幅Ｗ１の糊代部４ａ，４ｂが長手方向Ｘの全長に渡って設けられており、下面板１１は、この糊代部４ａ，４ａによって挟まれた部分が、ＰＴＰシート８０を収容する下面板側収納部１３ａとなる。従って、糊代部４ａ，４ａ間の幅、すなわち下面板側収納部１３ａの幅Ｗ２は、ＰＴＰシート８０の幅Ｗ１１（図１０参照）より若干広い幅に形成されている。
【００４１】
一方、第１及び第２上面板１２ａ，１２ｂは、糊代部４ｂ以外の部分が、ＰＴＰシート８０のフランジ部８１ｂを上方から保持する上面板側収納部１３ｂとなる。
【００４２】
第１上面板１２ａ及び第２上面板１２ｂは、長手方向Ｘに沿って長い短冊状に形成されており、各折り返し線２，３と反対側の側縁部１４は、ＰＴＰシート８０に形成された突出部８１ａの平面視での外形状に沿って凹凸部が連続する波形形状となっている。ここで、図３に示すように、連続する凹凸部の凸部１４ａ，１４ａ間のピッチＰａ及び凹部１４ｂ，１４ｂ間のピッチＰｂは、ＰＴＰシート８０に形成された突出部８１ａの長手方向ＸのピッチＰ１０（＝Ｐ１＋Ｐ２）の半分となるように形成されている。従って、突出部８１ａが凸部１４ａを二山越えてスライド移動すると、隣接する突出部８１ａが元あった位置に移動するように構成されている。すなわち、突出部８１ａが凸部１４ａを一山乗り越えた場合（すなわち、１ピッチだけ移動した場合）には、図３中に破線で示すように、移動後の突出部８１ａは、移動前の隣接する突出部８１ａ，８１ａ間の位置に移動することになる。なお、ＰＴＰシート８０のスライド移動については後ほど詳述する。
【００４３】
このような構成の展開シートにおいて、各糊代部４ａ，４ｂ（ただし、いずれか一方のみでもよい。）に接着材を塗布した状態で、第１上面板１２ａと第２上面板１２ｂとを、それぞれ折り返し線２，３で折り返して下面板１１上に対向配置し、糊代部４ａ，４ｂで接着固定することで、図１に示すＰＴＰシート用収容体１Ａが作製される。このとき、第１上面板１２ａと第２上面板１２ｂとの対向する側縁部１４，１４間が上記した開口溝部１５となる。すなわち、開口溝部１５の長手方向Ｘに沿う縁部（すなわち、側縁部１４）は、長手方向Ｘに沿って凹凸形状が連続する波形形状に形成されている。
【００４４】
この構成によれば、下面板１１上に第１上面板１２ａと第２上面板１２ｂとを折り重ねて接着固定するだけで、ＰＴＰシート用収容体１Ａを容易に作製することができる。
【００４５】
また、開口溝部１５は、下面板１１の長手方向Ｘに直交する幅方向Ｗに沿う縁部１５ａが開放されており、ＰＴＰシート８０は、この開放された縁部１５ａから下面板１１の下面板側収納部１３ａと第１及び第２上面板１２ａ，１２ｂの上面板側収納部１３ｂとの間に形成される収納部１３に挿脱自在とされている。すなわち、開口された縁部１５ａがＰＴＰシート８０の挿入口となっている。この場合、両方の縁部１５ａ，１５ａを開放して両方向からＰＴＰシート８０を挿脱自在としてもよいが、一方の縁部１５ａを閉鎖（接着材等により接着）して、ＰＴＰシート８０の挿入方向を一方向のみとしてもよい。また、ＰＴＰシート用収容体１Ａを使い捨てタイプとして使用する場合には、ＰＴＰシート８０を収納後、開口溝部１５の両縁部１５ａ，１５ａをそれぞれ接着材等によって接着固定し、ＰＴＰシート８０が抜き取れないようにしてもよい。
【００４６】
図４Ａ及び図５Ａは、ＰＴＰシート用収容体１Ａの収納部１３にＰＴＰシート８０を収納して保持した状態を示す上面図、図４Ｂ及び図５Ｂは、同下面図である。ただし、図４Ａ及び図４Ｂは、ＰＴＰシート８０がＰＴＰシート用収容体１Ａ内の所定の位置にあって、突出部８１ａに収容された錠剤８３を、下面板１１の取り出し穴１１ａから取り出し可能な状態を示しており、図５Ａ及び図５Ｂは、ＰＴＰシート８０がＰＴＰシート用収容体１Ａ内の規制位置にあって、突出部８１ａに収容された錠剤８３を、下面板１１の取り出し穴１１ａから取り出せない状態を示している。
【００４７】
すなわち、実施形態１では、図４Ａに示すように、収納されたＰＴＰシート８０がＰＴＰシート用収容体１Ａ内で最も上方に位置しているとき（すなわち、各列の最上部に位置している突出部８１ａが開口溝部１５の最上部に形成された凹部１４ｂに嵌まり込んでいる状態）を、所定の位置（以下、取り出し可能位置ともいう。）としている。そして、この所定の位置では、図４Ｂに示すように、突出部８１ａの底面８１ａ１と、下面板１１に形成された取り出し穴１１ａとが一致しているので、突出部８１ａを上面側から押し潰すようにすれば、押し込まれた錠剤８３によって底面８１ａ１を覆っている被覆シート８２が破断され、ＰＴＰシート用収容体１Ａの取り出し穴１１ａから錠剤８３を取り出すことができる。
【００４８】
一方、このようにして錠剤８３を取り出した後、ＰＴＰシート８０を下方（図４Ａ中矢符Ｘ１方向）に押し下げる。これにより、ＰＴＰシート８０がＰＴＰシート用収容体１Ａ内を下方に移動し、突出部８１ａが開口溝部１５の凸部１４ａを一山乗り越えて隣の凹部１４ｂにスライド移動する。図５Ａ及び図５Ｂはこの状態を示している。
【００４９】
この状態では、図５Ｂに示すように、突出部８１ａは、突出部８１ａの１ピッチであるＰ１０の半分のピッチＰｂだけ移動しているため、突出部８１ａの底面８１ａ１は、下面板１１に形成された隣接する取り出し穴１１ａ，１１ａの中間（すなわち、隣接する取り出し穴１１ａ，１１ａを仕切る仕切り片１１ｃの上）に位置している。つまり、突出部８１ａの底面８１ａ１がこの仕切り片１１ｃによって塞がれた状態となっている。そのため、この状態で突出部８１ａを上面側から押し潰しても、仕切り片１１ｃが邪魔をして突出部８１ａを押し潰すことができず、錠剤８３を取り出せない構造となっている。すなわち、図５Ａ及び図５Ｂに示すスライド位置が、チャイルドレジスタンス機能が有効となる位置である。
【００５０】
なお、ＰＴＰシート用収容体１Ａは、硬質の厚紙、または柔軟性を有する樹脂材料等によって形成することが好ましい。これらの材料を用いると、材料自体にある程度の柔軟性があることから、ＰＴＰシート８０をスライド移動させるとき、ＰＴＰシート用収容体１Ａ自体が若干反るように弾性変形し、これによって突出部８１ａは開口溝部１５の凸部１４ａを容易に乗り越えることができる。また、乗り越えた後は、ＰＴＰシート用収容体１Ａ自体の弾性復帰によって突出部８１ａが開口溝部１５の凹部１４ｂに勢い良く嵌まり合うことから、一定のロック機能と共にクリック感も持たせることができる。そして、この一定のロック機能により、幼児が操作した程度では容易に移動しない程度のロック強度を得ることができる。
【００５１】
また、実施形態１では、図４Ａ及び図５Ａに示すように、連続する凹凸部の数は、凹部が１０個、凸部が９個となっている。これに対し、突出部８１ａは各列５個である。従って、この数の組み合わせによれば、ＰＴＰシート８０は、図４Ａ及び図４Ｂに示す所定の位置（取り出し可能位置）と、図５Ａ及び図５Ｂに示す規制位置との２位置の間のみで往復スライド移動自在となっている。従って、ユーザーは、ＰＴＰシート８０が所定の位置にあるのか規制位置にあるのかを容易に把握することができる。また、図４Ａに示すように、ＰＴＰシート８０が取り出し可能位置に移動しているときには、下面板１１の下部側のＰＴＰシート８０によって被覆されていないところに例えば「開」の文字を表記し、図５Ａに示すように、ＰＴＰシート８０が規制位置に移動しているときには、下面板１１の上部側のＰＴＰシート８０によって被覆されていないところに例えば「閉」の文字を表記してもよい。これにより、使用者は、ＰＴＰシート用収容体１Ａの裏側をいちいち目視により確認しなくても、ＰＴＰシート８０が取り出し可能位置または規制位置のどちらに位置しているのかを容易に確認することができる。なお、表記するのは必ずしも文字に限るものではなく、例えば「○」、「×」等の記号であってもよい。要するに、使用者にとって直感的に理解できるような記号等であればどのようなものであってもよい。また、このような記号ではなく、ＰＴＰシート８０のスライド方向を矢印（例えば△矢印等）で示すようにしてもよい。
【００５２】
実施形態１によれば、突出部８１ａと開口溝部１５との簡単な係合構造によって、ＰＴＰシート８０を取り出し位置（所定の位置）と規制位置（隣接する取り出し穴間の位置）とにおいてスライド移動及び位置固定することができる。
【００５３】
＜実施形態２＞
図６は、実施形態２に係るＰＴＰシート用収容体１ＢにＰＴＰシートを収容した状態を斜め上方からの視点で示す斜視図、図７は、図６に示すＰＴＰシート用収容体１Ｂを展開した状態（展開シートの状態）を示す平面図（上面図）である。
【００５４】
実施形態２に係るＰＴＰシート用収容体１Ｂと、実施形態１に係るＰＴＰシート用収容体１Ａとの違いは、実施形態１に係るＰＴＰシート用収容体１Ａが上面板１２を第１及び第２上面板１２ａ，１２ｂの２部材で構成しているのに対し、実施形態２では上面板１２を１部材で構成した点のみである。従って、ＰＴＰシート８０を含むその他の構成、具体的には開口溝部１５の凹凸部の構成は、実施形態１に係るＰＴＰシート用収容体１Ａと同様であるので、実施形態２では同部材及び同部位に同符号を付して説明を省略し、相違する部分についてのみ説明する。
【００５５】
実施形態２に係るＰＴＰシート用収容体１Ｂは、図７に示すように、略長方形状の下面板１１と上面板１２とからなり、下面板１１と上面板１２の長手方向Ｘに沿う一方の側縁部同士が、折り返し線５を介して連接された構成とされている。
【００５６】
また、実施形態２では、開口溝部１５は、長手方向Ｘ及び幅方向Ｗの全周に縁部を有する完全な長穴形状となっている。
【００５７】
下面板１１及び上面板１２には、折り返し線５から幅方向Ｗに所定幅Ｗ１の糊代部４ａが長手方向Ｘの全長に渡って設けられている。また、折り返し線５に対向する下面板１１の他方の側縁部、及び、上面板１２の他方の側縁部にも、各側縁部から幅方向Ｗに所定幅Ｗ１の糊代部４ｂが長手方向Ｘの全長に渡って設けられている。
【００５８】
下面板１１及び上面板１２は、それぞれ糊代部４ａ，４ｂによって挟まれた部分が、ＰＴＰシート８０を収容する下面板側収納部１３ａ及び上面板側収納部１３ｂとなる。従って、糊代部４ａ，４ｂ間の幅、すなわち下面板側収納部１３ａ及び上面板側収納部１３ｂの幅Ｗ２は、ＰＴＰシート８０の幅Ｗ１１（図１０参照）より若干広い幅に形成されている。
【００５９】
このような構成の展開シートにおいて、下面板１１または上面板１２のいずれか一方（または両方）の各糊代部４ａ，４ｂに接着材を塗布した状態で、上面板１２を折り返し線５で折り返して下面板１１上に対向配置し、糊代部４ａ，４ｂで接着固定することで、図６に示すＰＴＰシート用収容体１Ｂが作製される。すなわち、実施形態２では、下面板１１と上面板１２との長手方向Ｘに直交する幅方向Ｗに沿う側縁部１６が両方共開放されており、ＰＴＰシート８０は、この開放された側縁部１６から下面板１１の下面板側収納部１３ａと上面板１２の上面板側収納部１３ｂとの間に形成される収納部１３に挿脱自在とされている。すなわち、開口された側縁部１６がＰＴＰシート８０の挿入口となっている。この場合、両方の側縁部１６を開放して両方向からＰＴＰシート８０を挿脱自在としてもよいが、一方の側縁部１６を閉鎖（接着材等により接着）して、ＰＴＰシート８０の挿入方向を一方向のみとしてもよい。また、ＰＴＰシート用収容体１Ｂを使い捨てタイプとして使用する場合には、ＰＴＰシート８０を収納後、両側縁部１６を接着材等によって接着固定し、ＰＴＰシート８０が抜き取れないようにしてもよい。
【００６０】
また、実施形態２では、開口溝部１５は、全周に縁部を有する完全な長穴形状となっている。従って、開口溝部１５の長手方向Ｘに直交する幅方向Ｗに沿う両縁部１５ｂは、ＰＴＰシート８０をスライド移動させるときの当たり止めとして利用することができる。すなわち、実施形態２では、収納されたＰＴＰシート８０がＰＴＰシート用収容体１Ｂ内で最も上方（所定の位置）に位置しているとき（すなわち、各列の最上部に位置している突出部８１ａが開口溝部１５の最上部に形成された凹部１４ｂに嵌まり込んでいる状態のとき）、各列の最上部に位置している突出部８１ａが開口溝部１５の上側の縁部１５ｂに当接若しくは近接（図６はこの状態を図示している。）し、この位置からＰＴＰシート８０を下方に押し下げて、突出部８１ａが開口溝部１５の凸部１４ａを一山乗り越えて隣の凹部１４ｂにスライド移動した規制位置にあるとき、各列の最下部に位置している突出部８１ａが開口溝部１５の下側の縁部１５ｂに当接若しくは近接するように、開口溝部１５を形成しておけばよい。これにより、開口溝部１５の両縁部１５ｂによってＰＴＰシート８０の移動範囲が所定の位置と規制位置との間に制限されるので、ユーザーが多少力を入れてＰＴＰシート８０を移動操作したとしても、ＰＴＰシート８０がＰＴＰシート用収容体１Ｂの挿入口（すなわち、接着せずに開口している場合の側縁部１６）から不測に抜け出すことはない。
【００６１】
＜実施形態３＞
図８は、実施形態３に係るＰＴＰシート用収容体１Ｃを展開した状態（展開シートの状態）を示す平面図（上面図）である。
【００６２】
実施形態３に係るＰＴＰシート用収容体１Ｃと、実施形態２に係るＰＴＰシート用収容体１Ｂとの違いは、展開シートの状態において、下面板１１と上面板１２との連接状態が、実施形態２では長手方向Ｘに沿う一方の側縁部同士を連接しているのに対し、実施形態３では、幅方向Ｗに沿う一方の縁部同士を連接している点であり、その他の構成は全て実施形態２と同様である。従って、この展開シートの状態から作製されるＰＴＰシート用収容体１Ｃの外観は、図６に示す実施形態２のＰＴＰシート用収容体１Ｂと全く同じである。従って、ここでは相違する部分についてのみ説明する。
【００６３】
実施形態３に係るＰＴＰシート用収容体１Ｃは、図８に示すように、略長方形状の下面板１１と上面板１２とからなり、下面板１１と上面板１２の長手方向Ｘに直交する幅方向Ｗに沿う一方の側縁部同士が、折り返し線６を介して連接された構成とされている。
【００６４】
下面板１１及び上面板１２には、長手方向Ｙに沿う両側縁部から幅方向Ｗに所定幅Ｗ１の糊代部４ａ，４ａ及び４ｂ，４ｂがそれぞれ長手方向Ｘの全長に渡って設けられている。
【００６５】
下面板１１及び上面板１２は、糊代部４ａ，４ａ及び４ｂ，４ｂによってそれぞれ挟まれた部分が、ＰＴＰシート８０を収容する下面板側収納部１３ａ及び上面板側収納部１３ｂとなる。従って、糊代部４ａ，４ａ間及び糊代部４ｂ，４ｂ間の幅、すなわち下面板側収納部１３ａ及び上面板側収納部１３ｂの幅Ｗ２は、ＰＴＰシート８０の幅Ｗ１１（図１０参照）より若干広い幅に形成されている。
【００６６】
このような構成の展開シートにおいて、下面板１１の各糊代部４ａ，４ａまたは上面板１２の各糊代部４ｂ，４ｂのいずれか一方（または両方）に接着材を塗布した状態で、上面板１２を折り返し線６で折り返して下面板１１上に対向配置し、糊代部４ａ，４ｂ同士を接着固定することで、図６に示すＰＴＰシート用収容体１Ｂと同様の構成のＰＴＰシート用収容体１Ｃが作製される。従って、実施形態３では、下面板１１と上面板１２との長手方向Ｘに直交する幅方向Ｗに沿う他方の側縁部１６のみが開放されており、ＰＴＰシート８０は、この開放された側縁部１６から下面板１１の下面板側収納部１３ａと上面板１２の上面板側収納部１３ｂとの間に形成される収納部１３に挿脱自在とされている。すなわち、開口された側縁部１６がＰＴＰシート８０の挿入口となっている。この場合、ＰＴＰシート用収容体１Ｃを使い捨てタイプとして使用する場合には、ＰＴＰシート８０を収納後、側縁部１６を接着材等によって接着固定し、ＰＴＰシート８０が抜き取れないようにしてもよい。
【００６７】
＜実施形態４＞
実施形態４は、上記実施形態１〜３に共通適用できる下面板１１に形成される取り出し穴１１ａの他の実施形態であるが、ここでは実施形態１のＰＴＰシート用収容体１Ａに適用した場合について説明する。
【００６８】
図９は、実施形態４に係るＰＴＰシート用収容体１Ａを展開した展開シートの状態を示す平面図（上面図）である。実施形態４では、上記したように取り出し穴１１ａの部分のみが実施形態１のＰＴＰシート用収容体１Ａと異なるため、この異なる部分についてのみ説明する。
【００６９】
すなわち、実施形態４では、下面板１１に形成される取り出し穴１１ａは、ＰＴＰシート８０の突出部８１ａの平面視での形状と同じ円形状ではなく、突出部８１ａの形状に沿った半円形状と、この半円形状部分から横方向に延設された四角形状とを合体させた形状としている。そして、このような形状の取り出し穴１１ａに、半円形状部分に沿って切除可能なミシン目等の切除線７を介して、突出部８１ａの形状とほぼ同じ円形状の封止片８を設けた構成としている。取り出し穴１１ａの四角形状部分と封止片８との間の隙間は、封止片８を切除するときに、爪等を差し込んで封止片８に引っ掛けるための差込み部である。
【００７０】
この構成によれば、ＰＴＰシート８０が内包物の取り出し可能な所定の位置に移動していたとしても、封止片８があることで、内容物である錠剤８３等の取り出しを阻止することができる。これにより、チャイルドレジスタンス機能をより高めることができる。
【００７１】
なお、上記実施形態では、内包物として医薬品等の錠剤を個別に包装したＰＴＰシートを例示しているが、医薬品等に限定されるものではなく、例えばタブレット状の内包物を包装したＰＴＰシート全般に適用可能である。つまり、ＰＴＰシートに内包される内包物については特に限定されるものではない。
【００７２】
本発明は、その精神または主要な特徴から逸脱することなく、他のいろいろな形で実施することができる。そのため、上述の実施形態はあらゆる点で単なる例示にすぎず、限定的に解釈してはならない。本発明の範囲は請求の範囲に示すものであって、明細書本文には、なんら拘束されない。さらに、請求の範囲の均等範囲に属する変形や変更は、全て本発明の範囲内のものである。
【符号の説明】
【００７３】
１Ａ，１Ｂ，１Ｃ  ＰＴＰシート用収容体
２，３，４，５，６  折り返し線
４ａ，４ｂ  糊代部
７  切除線
８  封止片
１１  下面板
１１ａ  取り出し穴
１１ｃ  仕切り片
１２  上面板
１２ａ  第１上面板
１２ｂ  第２上面板
１３ａ  下面板側収納部
１３ｂ  上面板側収納部
１４  側縁部
１４ａ  凸部
１４ｂ  凹部
１５  開口溝部
１５ａ  開口された縁部
１６  側縁部
【図１】
0006770310.tif 000002
【図２】
0006770310.tif 000003
【図３】
0006770310.tif 000004
【図４Ａ】
0006770310.tif 000005
【図４Ｂ】
0006770310.tif 000006
【図５Ａ】
0006770310.tif 000007
【図５Ｂ】
0006770310.tif 000008
【図６】
0006770310.tif 000009
【図７】
0006770310.tif 000010
【図８】
0006770310.tif 000011
【図９】
0006770310.tif 000012
【図１０】
0006770310.tif 000013